(57)【要約】【課題】幅寸法がコンパクトであり、通過心線の余長をゆったりと収納できかつ通過心線の余長の収納作業の作業性向上が図られる後分岐光接続箱を提供する。【解決手段】分岐のための処理を行なった既設光ケーブル１１を固定した光接続箱本体２２に、既設光ケーブルから取り出した光ファイバ心線のうちの通過心線１１ｃの余長を収納する通過心線収納トレイ２６と、既設光ケーブルから分岐させた光ファイバ心線１１ｄの光接続部および余長を収納する光接続部収納トレイ２７とを積層状態で配置する。後分岐光接続箱２１の幅寸法を従来と比べて大幅にコンパクトにすることができる。【選択図】      図４
2004354536.tif 000002
【特許請求の範囲】
【請求項１】
分岐のための処理を行なった既設光ケーブルを固定した光接続箱本体に、既設光ケーブルから取り出した光ファイバ心線のうちの通過心線の余長を収納する通過心線収納トレイと、既設光ケーブルから分岐させた光ファイバ心線の光接続部および余長を収納する光接続部収納トレイとを積層状態で配置したことを特徴とする後分岐光接続箱。
【請求項２】
前記通過心線収納トレイを下側、光接続部収納トレイを上側に配置したことを特徴とする請求項１記載の後分岐光接続箱。
【請求項３】
前記光接続箱本体が壁面に垂直な姿勢で固定される壁掛け式の後分岐光接続箱であって、前記光接続部本体に、通過心線収納トレイをトレイ装着領域に位置決めするトレイ位置決め枠、および、当該通過心線収納トレイを光接続箱本体に固定するバンドを設け、光接続箱本体の前記トレイ装着領域の上下位置に、それぞれ手前に概ね水平に突出するブラケットを設け、下端部が下ブラケットの先端に上下方向に回転可能にヒンジ連結され上端部が上ブラケットの先端に係合可能なトレイ保持板を設け、このトレイ保持板に、当該トレイ保持板に光接続部収納トレイを固定するバンドを取り付けたことを特徴とする請求項２記載の後分岐光接続箱。
【請求項４】
光接続箱本体におけるトレイ装着領域の側方に、心線収納トレイに対して出入れする光ファイバ心線が光接続箱本体幅方向にはみ出すことを防ぐ心線押さえ具を着脱可能に取り付けるとともに、前記下ブラケットの先端に前記心線押さえ具を取り付け可能にし、さらに、心線押さえ具を下ブラケットに取り付けた時に、この心線押さえ具で前記トレイ保持板を水平に受け止め可能にしたことを特徴とする請求項３記載の後分岐光接続箱。
【請求項５】
請求項３または４の後分岐光接続箱を用いて行なう後分岐光接続作業方法であって、
通過心線を通過心線収納トレイに収納する際に、前記トレイ保持板を水平に倒して作業台にし、その上の存在する光接続部収納トレイの上に通過心線収納トレイを乗せた状態で、当該通過心線収納トレイに通過心線を収納する作業を行なうことを特徴とする後分岐光接続作業方法。
【請求項６】
請求項３または４の後分岐光接続箱を用いて行なう後分岐光接続作業方法であって、
分岐心線の光接続部および余長を光接続部収納トレイに収納する際に、通過心線の収納を済ませた通過心線収納トレイを上下のブラケット間でバンドで接続箱本体に固定した垂直状態とし、水平に倒して作業台にしたトレイ保持板上に光接続部収納トレイを乗せて、分岐心線の光接続部および余長を光接続部収納トレイに収納する作業を行なうことを特徴とする後分岐光接続作業方法。
【発明の詳細な説明】
【０００１】
【発明に属する技術分野】
この発明は、既設の光ケーブルの途中から光ファイバ心線を分岐させるための後分岐光接続箱に関し、特に壁面に固定して用いる壁掛け形として好適な後分岐光接続箱に関する。
【０００２】
【従来の技術】
図１２は既設の光ケーブルの途中から光ファイバ心線を分岐させるための従来の後分岐光接続箱１を示すもので、この後分岐光接続箱１は、壁掛け形の後分岐光接続箱であり、概ね矩形板状の光接続箱本体２の図示例では左側の上下部に、既設光ケーブル１１を固定する光ケーブル把持金具４およびテンションメンバ把持金具５を設け、また、右側の上下部に、分岐光ケーブル１２を固定する光ケーブル把持金具４’およびテンションメンバ把持金具５’を設け、そして、高さ方向中央部近傍に、通過心線収納トレイ６および光接続部収納トレイ７を横並びの配置で設けている。
【０００３】
既設光ケーブル１１は分岐のための処理を行なっている。すなわち、外被を除去してスロットロッド１１ｂを露出させ、スロットロッド１１ｂの外周の螺旋状溝に収容した光ファイバ心線を引き出し、分岐しない光ファイバ心線を除いて切断している。そして、既設光ケーブル１１の両側のテンションメンバ１１ａはテンションメンバ把持金具５で把持して接続箱本体２に固定し、外被端部近傍は光ケーブル把持金具５で把持して接続箱本体２に固定している。上下両側から導入している分岐光ケーブル１２は、端部処理を施している。すなわち、端部近傍の外被を除去してスロットロッド１２ｂを露出させ、スロットロッド１２ｂの外周の螺旋状溝に収容した光ファイバ心線１２ｄを引き出し、テンションメンバ１２ａをテンションメンバ把持金具５’で把持して接続箱本体２に固定し、外被端部近傍は光ケーブル把持金具５’で把持して接続箱本体２に固定している。
【０００４】
既設光ケーブル１１から引き出された光ファイバ心線のうち分岐しない光ファイバ心線（以下、通過心線と呼ぶ）１１ｃの余長は通過心線収納トレイ６内に収納される。既設光ケーブル１１から引き出されて分岐する光ファイバ心線（以下、分岐心線と呼ぶ）１１ｄと分岐側光ケーブル１２から引き出された光ファイバ心線１２ｄとの融着接続部および余長は、光接続部収納トレイ７内に収納される。
【０００５】
【発明が解決しようとする課題】
上記従来の後分岐光接続箱１は、通過心線収納トレイ６と光接続部収納トレイ７とを横並びに配置しているので、後分岐光接続箱１のサイズが幅方向に大きくなるという問題がある。
また、両トレイ６、７が横並び配置なので、全体幅を抑えるために過心線収納トレイ６の幅寸法が制限され、このため通過心線１１ｃの余長を通過心線収納トレイ６に収納する際には、小さな径（例えば１周約３００ｍｍ）のループで巻かなければならず、巻き回数も１０周程度と多くなり、作業性の点でも不利である。
【０００６】
本発明は上記従来の欠点を解消するためになされたもので、幅寸法をコンパクトにすることができ、かつ、通過心線の余長をゆったりと収納することができ、さらに、光ファイバ心線を収納トレイに収納する作業の作業性を向上させることができる後分岐光接続箱を提供することを目的とする。
【０００７】
【課題を解決するための手段】
上記課題を解決する本発明の後分岐光接続箱は、分岐のための処理を行なった既設光ケーブルを固定した光接続箱本体に、既設光ケーブルから取り出した光ファイバ心線のうちの通過心線の余長を収納する通過心線収納トレイと、既設光ケーブルから分岐させた光ファイバ心線の光接続部および余長を収納する光接続部収納トレイとを積層状態で配置したことを特徴とする。
【０００８】
請求項２は、請求項１の後分岐光接続箱において、通過心線収納トレイを下側、光接続部収納トレイを上側に配置したことを特徴とする。
【０００９】
請求項３は、請求項２の後分岐光接続箱において、光接続箱本体が壁面に垂直な姿勢で固定される壁掛け式とし、前記光接続部本体に、通過心線収納トレイをトレイ装着領域に位置決めするトレイ位置決め枠、および、当該通過心線収納トレイを光接続箱本体に固定するバンドを設け、光接続箱本体の前記トレイ装着領域の上下位置に、それぞれ手前に概ね水平に突出するブラケットを設け、下端部が前記下ブラケットの先端に上下方向に回転可能にヒンジ連結され上端部が前記上ブラケットの先端に係合可能なトレイ保持板を設け、このトレイ保持板に、当該トレイ保持板に光接続部収納トレイを固定するバンドを取り付けたことを特徴とする。
【００１０】
請求項４は、請求項３の後分岐光接続箱において、光接続箱本体におけるトレイ装着領域の側方に、心線収納トレイに対して出入れする光ファイバ心線が光接続箱本体幅方向にはみ出すことを防ぐ心線押さえ具を着脱可能に取り付けるとともに、前記下ブラケットの先端に前記心線押さえ具を取り付け可能にし、さらに、心線押さえ具を下ブラケットに取り付けた時に、この心線押さえ具で前記トレイ保持板を水平に受け止め可能にしたことを特徴とする。
【００１１】
請求項５は、請求項３または４の後分岐光接続箱を用いて行なう後分岐光接続作業方法であって、
通過心線を通過心線収納トレイに収納する際に、前記トレイ保持板を水平に倒して作業台にし、その上の存在する光接続部収納トレイの上に通過心線収納トレイを乗せた状態で、当該通過心線収納トレイに通過心線を収納する作業を行なうことを特徴とする。
【００１２】
請求項６は、請求項３または４の後分岐光接続箱を用いて行なう後分岐光接続作業方法であって、
分岐心線の光接続部および余長を光接続部収納トレイに収納する際に、通過心線の収納を済ませた通過心線収納トレイを上下ブラケット間でバンドで接続箱本体に固定した垂直状態とし、水平に倒して作業台にしたトレイ保持板上に光接続部収納トレイを乗せて、分岐心線の光接続部および余長を光接続部収納トレイに収納する作業を行なうことを特徴とする。
【００１３】
【発明の実施の形態】
図１は本発明の一実施形態の後分岐光接続箱２１の正面図、図２は図１の側面図、図３は図１の底面図、図４は図１の後分岐光接続箱２１内で光ケーブルの分岐接続作業を完了した状態を示す正面図である。本発明の後分岐光接続箱は、既設の光ケーブルの途中から光ファイバ心線を分岐させるためのもので、実施形態では分岐させた光ファイバ心線を後分岐光接続箱２１から光ケーブルとして取り出す場合である。１１は既設の光ケーブル（既設光ケーブル）、１２は分岐側の光ケーブル（分岐側光ケーブル）を示す。
【００１４】
この後分岐光接続箱２１は、壁面等に取り付けられる概ね矩形板状の光接続箱本体２２に光接続箱蓋体２３を被せた構成の壁掛け形の後分岐光接続箱であり、光接続箱本体２２の図示例では左側の上下部に、既設光ケーブル１１を固定する光ケーブル把持金具２４およびテンションメンバ把持金具２５を設け、また、右側の上下部に、分岐光ケーブル１２を固定する光ケーブル把持金具２４’およびテンションメンバ把持金具２５’を設けている。そして、本発明では、高さ方向中央部近傍に、通過心線収納トレイ２６および光接続部収納トレイ２７を積層状態で配置している。
【００１５】
既設光ケーブル１１は分岐のための処理を行なっている。すなわち、外被を除去してスロットロッド１１ｂを露出させ、スロットロッド１１ｂの外周の螺旋状溝に収容した光ファイバ心線を引き出し、分岐しない光ファイバ心線を除いて切断している。そして、既設光ケーブル１１の両側のテンションメンバ１１ａはテンションメンバ把持金具２５で把持して接続箱本体２に固定し、外被端部近傍は光ケーブル把持金具５で把持して接続箱本体２２に固定している。上下両側から導入している分岐光ケーブル１２は端部処理を施している。すなわち、端部近傍の外被を除去してスロットロッド１２ｂを露出させ、スロットロッド１２ｂの外周の螺旋状溝に収容した光ファイバ心線１２ｄを引き出し、テンションメンバ１２ａをテンションメンバ把持金具５’で把持して接続箱本体２に固定し、外被端部近傍は光ケーブル把持金具５’で把持して接続箱本体２に固定している。
【００１６】
前記光接続部収納トレイ２７は、上面から見て四隅の丸まった概略矩形状をしており、図５（イ）、（ロ）に示すように、収納する光ファイバ心線の本数に応じて複数段設けている（この実施形態では３段）。この光接続部収納トレイ２７は、幅方向の一方の側面にヒンジ部２７ａを設け、他方の側面に係合爪２７ｂと係合凹部２７ｃとを設けている。このヒンジ部２７ａで上下に隣接するものどうしが相対的に上下方向に回転可能に連結されるとともに、下側の光接続部収納トレイ２７の係合爪２７ｂが上側の光接続部収納トレイ２７の係合凹部２７ｃに係合し、これにより、積層した光接続部収納トレイ２７が一体の光接続部収納トレイ群３７となる。なお、２７ｄは最上段の光接続収納トレイ２７の上部に設けた蓋体で、光接続部収納トレイ２７と同様にヒンジ部２７ａにより回転可能となっている。
【００１７】
前記通過心線収納トレイ２６は、光ケーブル１１から引き出された光ファイバ心線のうち分岐しない光ファイバ心線（以下、通過心線と呼ぶ）１１ｃの余長を収納するためのもので、前記光接続部収納トレイ２７より若干広い幅を持ち、既設光ケーブル１１の本数と同じ個数設けている（この実施形態では２個）。光接続箱本体２２には、そのトレイ装着領域に通過心線収納トレイ２６を位置決めするトレイ位置決め枠３０ａ、３０ｂを設けており、このトレイ位置決め枠３０ａ、３０ｂで通過心線収納トレイ２６が位置決めされる。実施形態では通過心線収納トレイ２６が２つであるが、この２つの通過心線収納トレイ２６を重ねて光接続箱本体２２側に締め付け固定するバンド４０を光接続箱本体２２に取り付けている。２つの通過心線収納トレイ２６をまとめたものを通過心線収納トレイ群３６と呼ぶ。
【００１８】
なお、通過心線収納トレイ２６自体は一般的なもので、プラスチック製の単なる中空ボックス状のものである。また、光接続部収納トレイ２７自体も一般的なもので、詳細は省略するが、同じくプラスチック製であるが内部に融着接続部ホルダや余長収納のためのガイド等を設けたやや複雑な構造である。
【００１９】
また、光接続箱本体２２のトレイ装着領域の側方にＬ形断面形状の心線押さえ具３４を設けている。この心線押さえ具３４は、通過心線収納トレイ２６または光接続部収納トレイ２７に対して出入れする光ファイバ心線（通過心線１１ｃまたは分岐心線１１ｄ）が光接続箱本体２２の幅方向にはみ出すことを防ぐために設けたもので、収納トレイ２６、２７の位置から若干離れた左方位置において、ナイラッチ４３ａで着脱可能に取り付けている。
また、前記下ブラケット２９の先端部には、心線押さえ具３４を装着可能にするために、ナイラッチ４３ａを差し込める２つの穴をあけた取付板２９ａを設けており、これにより心線押さえ具３４は、光ファイバ心線のはみ出しを防ぐ本来の位置と、下ブラケット２９の先端部との２箇所に移動させることができる。
【００２０】
前記下ブラケット２９の先端には、光接続部収納トレイ２７を保持するトレイ保持板３３の下端部が上下方向に回転可能にヒンジ連結（ヒンジを４２で示す）され、このトレイ保持板３３の上端部は前記上ブラケット２８の先端にナイラッチ４３ｂにより着脱可能に係合している。また、このトレイ保持板３３に、当該トレイ保持板３３に３段の光接続部収納トレイ２７をまとめて固定するバンド４１を取り付けている。
下ブラケット２９の取付板２９ａに心線押さえ具３４を装着した状態で、前記トレイ保持板３３をヒンジ４１を中心として下方に回転させると、トレイ保持板３３は取付板２９ａで水平な姿勢で受け止められ、後述する光ファイバ心線の収納作業を行う際の作業台として機能することができる。
【００２１】
上記の後分岐光接続箱２１において分岐接続作業をする要領を、図４および図６〜図１１を参照して説明する。
予め既設光ケーブル１１の中間部分の外被を除去し、テンションメンバ１１ａ、スロットロッド１１ｂを適宜の長さだけ除去するとともに、光ファイバ心線１１ｃ、１１ｄを引き出し、分岐心線１１ｄは中間を切断しておく。図１に示された本来の位置にある心線押さえ具３４を、ナイラッチ４３ａを抜いて外して、下ブラケット２９の先端の取付板２９ａに移動させる（取り付ける）。また、既設光ケーブル１１の外被端部近傍を光ケーブル把持金具２４で把持し、テンションメンバ１１ａをテンションメンバ把持金具２５で把持して、既設光ケーブル１１を光接続箱本体２２に固定する。トレイ保持板３３の上端のナイラッチ４３ｂを外してトレイ保持板３３の上端を上ブラケット２８から外し、トレイ保持板３３をヒンジ４２を中心として下方に９０°回転させて手前に倒し、台として機能している心線押さえ具３４の上に乗せる（図６参照）。この時、トレイ保持板３３に保持されている光接続部収納トレイ２７も図６に示すように水平になる。
【００２２】
次いで、通過心線収納トレイ２６を光接続箱本体２２に固定している固定バンド４０（図１、図２参照）を外し、手前側の通過心線収納トレイ２６から順に９０°倒して光接続部収納トレイ２７の上面に乗せる。２本の既設光ケーブル１１のうちの本体幅方向内側（図３の２本のうち右側）の既設光ケーブル１１の通過心線１１ｃの余長を１周約６００ｍｍで５回巻き取って上段の通過心線収納トレイ２６内に収納する（図７参照）。次いで、上段の通過心線収納トレイ２６のみを垂直に立て固定バンド４０で光接続箱本体２２に締め付け固定する。２本のうちの外側（図３の２本のうち左側）の既設光ケーブル１１の通過心線１１ｃの余長を、同様にして下段の通過心線収納トレイ２６に収納する（図８参照）。次いで、この下段の通過心線収納トレイ２６を、一たん外した固定バンド４０で上段の通過心線収納トレイ２６とともに光接続箱本体２２に固定する（図９参照）。次いで、図１０に示すように既設光ケーブル１１から引き出された分岐心線１１ｄを図中左方より順次光接続部収納トレイ２７内に引き込み仮収納する。
【００２３】
上記既設光ケーブル１１と同様に、予め分岐側光ケーブル１２の端部近傍の外被を除去しかつスロットロッド１２ｂを適宜の長さだけ除去するとともに、光ファイバ心線１２ｄを引き出しておく。次いで、図１０に示すように、分岐側光ケーブル１２の外被端部近傍を光ケーブル把持金具２４で把持し、テンションメンバ１１ａをテンションメンバ把持金具２５で把持して、分岐側光ケーブル１２を光接続箱本体２２に固定する。次いで、分岐側光ケーブル１２の光ファイバ心線１２ｄを、既設光ケーブル１１の分岐心線１１ｄと反対側（図１１中右方）から光接続部収納トレイ２７内に引き込んで仮収納する。
【００２４】
次いで、既設光ケーブル１１の分岐心線１１ｄと分岐側光ケーブル１２の光ファイバ心線１２ｄとを、仮収納した光接続部収納トレイ２７から取り出して融着接続し、その後、融着接続部および余長を光接続部収納トレイ２７内に再び収納する。この作業を、３段の光接続部収納トレイ２７のそれぞれについて、下段側から順に行なうが、その際、収納作業中のトレイ２７より上段のトレイ２７は、例えば図５（ロ）に２点鎖線で示すように、起こしておく。
次いで、光接続部収納トレイ群３６を固定バンド４１でトレイ保持板３３に締め付け固定し、トレイ保持板３３を起こして（上方に回転させて）、その上端を上ブラケット２８の先端にナイラッチ４３ｂで係合させる。これにより光接続部収納トレイ群３６が光接続箱本体２２に装着されることになる。
その後、心線押さえ具３４を、ナイラッチ４３ａを抜いて取付板２９ａから外し、主として通過心線１１ｃを本体幅方向外側から押さえ込むように（幅方向外側へのふくれを防ぐように）して本来の位置に戻して、ナイラッチ４３ａで固定する。次いで、光接続箱蓋体２３を被せると、後分岐光接続箱２１における分岐接続作業が完了する（図４参照）。
【００２５】
上記後分岐光接続箱２１によれば、通過心線収納トレイ群３６と光接続部収納トレイ群３７とを光接続箱本体２２上に積層させて配置したことで、後分岐光接続箱の幅寸法を従来の後分岐光接続箱と比べてコンパクトにすることができる。
また、通過心線収納トレイ２６の幅寸法を従来よりも大きくすることができるので、幹線光ファイバ１１の通過心線１１ｃの余長をゆったりと収納することができ、また、通過心線１１ｃの余長を収納する作業の作業性を向上させることができる。
【００２６】
上記の後分岐光接続箱２１は、通過心線収納トレイ２６と光接続部収納トレイ２７とを直接に積層させるものでなく、通過心線収納トレイ２６は光接続箱本体２２に直接固定し、光接続部収納トレイ２７はトレイ保持板３３を介して光接続箱本体２２に装着するものであるから、分岐心線１１ｄ側だけを処理する必要が生じた場合には、あるいは、通過心線１１ｃだけを処理する必要が生じた場合に、一方のみについての作業を容易に行なうことができ、そのような場合における作業性が良好である。
【００２７】
また、心線押さえ具３４が着脱可能であり、光ファイバ心線を収納する作業の際に、心線押さえ具３４を本来の位置から外して、心線収納作業を妨げないようにできるので、この点でも作業性が向上する。
また、心線押さえ具３４を下ブラケット２９の先端に装着してトレイ保持板３３の受け台を兼ねることが可能なので、光接続部収納トレイ２７を保持するトレイ保持板３３を、心線収納作業の際の作業台として機能させることができ、この点でも作業性が向上する。また、この作業性向上を、特別な部材を設けることなく、効率よく実現できる。また、仮に、トレイ保持板３３用の専用の受け台を設けたとすれば、その専用受け台が前方に突出して、後分岐光接続箱２１の奥行き寸法が大となるが、そのような不都合は生じず、後分岐光接続箱の奥行き寸法のコンパクト化が図られる。
【００２８】
なお、通過心線収納トレイの数および光接続部収納トレイの数は、特に限定されず、複数個の場合に限らず、１つの場合も可能である。
また、実施形態では通過心線収納トレイ３６の個数を既設光ケーブル１１の本数と同数としているが、必ずしも一致させる必要はなく、すべての通過心線を一つの通過心線収納トレイ２６にまとめてもよいし、３つ以上の通過心線収納トレイ２６に分けて収納してもよい。
【００２９】
また、実施形態では光接続箱本体２２が概ね平板状であるが、側壁を持つボックス形状のものであってもよい。その場合には、ボックス状の光接続箱本体２２の底部が上述した実施形態の光接続箱本体２２に対応する。
また、実施形態の後分岐光接続箱２１は壁掛け形であるが、向きは特に限定されないので、光接続箱本体２２が概ね水平に設置される場合にも適用できる。
【００３０】
また、上述の実施形態では既設光ケーブル１１の分岐心線１１ｄと分岐側光ケーブル１２の光ファイバ心線１２ｄとの接続を融着接続により行なうものとして説明したが、融着接続に限るものではなく、光コネクタによる接続も可能である。
また、上述の実施形態では、分岐させた光ファイバ心線を後分岐光接続箱２１から光ケーブル（分岐側光ケーブル１２）として外部に取り出する場合であるが、例えば、分岐心線に取り付けた光コネクタを当該接続箱に外部コネクタとして設置して、例えばコネクタ付き光ファイバコードを直接接続可能な、いわゆる光成端箱として適用することも可能である。
【００３１】
【発明の効果】
本発明の後分岐光接続箱によれば、既設光ケーブルから取り出した光ファイバ心線のうちの通過心線の余長を収納する通過心線収納トレイと、既設光ケーブルから分岐させた光ファイバ心線の光接続部および余長を収納する光接続部収納トレイとを積層状態で配置した構成なので、後分岐接続箱の幅寸法をコンパクトにすることができる。
また、通過心線収納トレイの幅寸法を従来のものと比べて大きくすることができるので、通過心線の余長を大きな径のゆったりしたループで収納することができでき、また、通過心線の余長を収納する作業の作業性が向上する。
【００３２】
請求項３によれば、通過心線収納トレイと光接続部収納トレイとを直接に積層させるものでなく、通過心線収納トレイは光接続箱本体に直接固定し、光接続部収納トレイはトレイ保持板を介して光接続箱本体に装着した状態で、両者が積層状態となるものであるから、分岐心線側だけを処理する必要が生じた場合、あるいは、通過心線だけを処理する必要が生じた場合に、一方のみについての作業を容易に行なうことができ、そのような場合の作業性が良好である。
【００３３】
請求項４によれば、心線押さえ具が移動可能な構成なので、本来の位置では主として通過心線のはみ出しを防止できる。そして、光ファイバ心線を収納する作業の際には、下ブラケットの先端部に移動させて、心線収納作業を妨げないようにできるので、作業性が向上し、かつ、トレイ保持板の受け台を兼ねることができ、トレイ保持板を心線収納作業の際の作業台として有効に機能させることができる。特別な部材を設ける必要がないので、安価に済むと同時に、トレイ保持板用の専用の受け台ではないので、作業完了状態で専用受け台が前方に突出して、後分岐光接続箱の奥行き寸法が大となるような不都合は生じない。
【図面の簡単な説明】
【図１】本発明の一実施形態の後分岐光接続箱の正面図である。
【図２】図１の左側面図である。
【図３】図１の底面図である。
【図４】図１の後分岐光接続箱の分岐接続完了状態の正面図である。
【図５】上記の後分岐光接続箱における光接続部収納トレイを示すもので、（イ）は正面図、（ロ）は側面図である。
【図６】上記の後分岐光接続箱の分岐接続作業に際して、光接続部収納トレイを取り付けたトレイ保持板を手前側に倒した状態を示す図である。
【図７】既設光ケーブルの通過心線の余長を通過心線収納トレイに収納する要領を示す図である。
【図８】通過心線の余長を通過心線収納トレイに収納する要領を示すもので、図７に続く図である。
【図９】通過心線の収納を済ませた通過心線収納トレイを光接続箱本体に固定した状態を示す図である。
【図１０】既設光ケーブルの分岐心線を光接続部収納トレイに仮収納した状態を示す図である。
【図１１】分岐側光ケーブルの光ファイバ心線と既設光ケーブルの分岐心線とを融着接続し光接続部収納トレイに収納した状態を示す図である。
【図１２】従来の後分岐光接続箱の正面図である。
【符号の説明】
１１  既設光ケーブル
１１ａ、１２ａ  テンションメンバ
１１ｂ、１２ｂ  スロットロッド
１１ｃ  通過心線
１１ｄ  分岐心線
１２  分岐側光ケーブル
１２ｄ  （分岐側光ケーブルの）光ファイバ心線
２１  後分岐光接続箱
２２  光接続箱本体
２３  光接続箱蓋体
２４、２４’  光ケーブル把持金具
２５、２５’  テンションメンバ把持金具
２６  通過心線収納トレイ
２７  光接続部収納トレイ
２８  上ブラケット
２９  下ブラケット
２９ａ  取付板
３３  トレイ保持板
３４  心線押さえ具
３６  通過心線収納トレイ群
３７  光接続部収納トレイ群
４０、４１  固定バンド
４２  ヒンジ
４３ａ、４３ｂ  ナイラッチ
【図１】
2004354536.tif 000003
【図２】
2004354536.tif 000004
【図３】
2004354536.tif 000005
【図４】
2004354536.tif 000006
【図５】
2004354536.tif 000007
【図６】
2004354536.tif 000008
【図７】
2004354536.tif 000009
【図８】
2004354536.tif 000010
【図９】
2004354536.tif 000011
【図１０】
2004354536.tif 000012
【図１１】
2004354536.tif 000013
【図１２】
2004354536.tif 000014